(57)【要約】【課題】水平方向に配置したコンタクトガラスに付着したゴミなどによって読取り画像に筋状のノイズが発生することを防止できる画像読取り装置を得る。【解決手段】  原稿を水平面上で固定状態で支持するコンタクトガラス１０と、原稿Ｄを搬送する搬送部２０と、原稿Ｄを照射する光源１７と、照射された原稿Ｄからの反射光を撮像部１６に導くミラー１８，１４、結像レンズ１５とを備えた画像読取り装置。搬送部２０で搬送される原稿Ｄの読取り位置Ａ１での搬送方向がほぼ垂直状態に設定されており、読取り位置Ａ１での反射光はミラー１８，１４、結像レンズ１５を介して撮像部１６で読み取られる。【選択図】図１
2007158448.tif 000002
【特許請求の範囲】
【請求項１】
原稿を水平面上で固定状態で支持する透過部材と、原稿を搬送する搬送手段と、該搬送手段にて搬送される原稿の画像を読み取る撮像部と、原稿を照射する光照射手段と、照射された原稿からの反射光を前記撮像部に導く反射手段と、を備えた画像読取り装置において、
前記搬送手段にて搬送される原稿の読取り位置での搬送方向が非水平状態に設定されており、
前記透過部材上に支持された原稿の画像を読み取るための第１の反射光路と、前記搬送手段にて搬送される原稿の画像を読み取るための第２の反射光路を切換え可能であること、
を特徴とする画像読取り装置。
【請求項２】
前記透過部材上に支持された原稿の読取り位置から前記撮像部までの光路長と、前記搬送手段にて搬送される原稿の読取り位置から撮像部までの光路長とが等しいことを特徴とする請求項１に記載の画像読取り装置。
【請求項３】
前記第１及び第２の反射光路を切り換える手段は、第１及び第２の反射光路に進退可能な反射部材からなることを特徴とする請求項１又は請求項２に記載の画像読取り装置。
【請求項４】
前記搬送手段は原稿を上部位置から略円弧状に垂直位置を介して下部位置に搬送し、搬送される原稿の読取り位置は垂直位置よりも搬送方向上流側に設定されていることを特徴とする請求項１ないし請求項３のいずれかに記載の画像読取り装置。
【請求項５】
前記透過部材上に支持された原稿を照射する光照射手段と、前記搬送手段にて搬送される原稿を照射する光照射手段とは、共通の光源にて構成されていることを特徴とする請求項１ないし請求項４のいずれかに記載の画像読取り装置。
【請求項６】
前記透過部材上に支持された原稿の画像を読み取る場合と、前記搬送手段にて搬送される原稿の画像を読み取る場合とで、共通の白色基準板を用いることを特徴とする請求項１ないし請求項５のいずれかに記載の画像読取り装置。
【請求項７】
原稿を水平面上で固定状態で支持する透過部材と、原稿を搬送する搬送手段と、該搬送手段にて搬送される原稿の画像を読み取る撮像部と、原稿を照射する光照射手段と、照射された原稿からの反射光を前記撮像部に導く反射手段と、を備えた画像読取り装置において、
前記搬送手段にて搬送される原稿の読取り位置は、搬送方向が非水平状態に設定されている第１の読取り位置と該第１の読取り位置以外の第２の読取り位置が設定され、
第１及び第２の読取り位置からの反射光を前記撮像部に導く一つの反射部材は半透過部材を用い、該半透過部材から撮像部までは共通の光路を構成していること、
を特徴とする画像読取り装置。
【請求項８】
前記第１及び第２の読取り位置で読み取られたそれぞれの画像データを比較し、一定値以上の差分が検出された場合は、第１の読取り位置で読み取られた画像データを出力データとすることを特徴とする請求項７に記載の画像読取り装置。
【請求項９】
前記第１及び第２の読取り位置で読み取られたそれぞれの画像データの平均値を出力データとすることを特徴とする請求項７に記載の画像読取り装置。
【請求項１０】
前記第１の読取り位置で読み取られた画像データを記憶する記憶手段を備えたことを特徴とする請求項８又は請求項９に記載の画像読取り装置。
【請求項１１】
前記第２の読取り位置は前記透過部材上で支持された原稿の読取り位置と同じ水平面上に設定され、
前記半透過部材の第１の読取り位置からの反射光に対する透過率は５０％以下であること、
を特徴とする請求項７ないし請求項１０のいずれかに記載の画像読取り装置。
【発明の詳細な説明】
【技術分野】
【０００１】
本発明は、画像読取り装置、特に、原稿を一方向に搬送しつつ該原稿の画像を光学的に読み取る機能を備えた画像読取り装置に関する。
【背景技術】
【０００２】
一般に、書籍や雑誌などの厚みのある原稿の画像を読み取るには、原稿を水平面上で支持するガラス板上に載置して読み取ることが安定した読取り動作を可能とする点で優れており（固定原稿読取りタイプ）、いわゆるブックスキャナや個人向けの簡易型スキャナとして提供されている。一方、ローラなどで原稿を１枚ずつ搬送しつつその画像を読み取ることは、複数の原稿を効率よく読み取ることができる点で優れており（原稿流し撮りタイプ）、いわゆるドキュメントスキャナやファクシミリ搭載用として提供されている。
【０００３】
複写機やプリンタなどの電子写真法による画像形成装置においては、前記固定原稿読取りタイプと原稿流し撮りタイプを兼ね備えた画像読取り装置が搭載されており、装置の小型化あるいは照射手段や光学系の共通化を考慮して、水平に設置されている原稿支持ガラスに合わせて搬送原稿も水平状態で搬送される部分で読み取るように構成されている。
【０００４】
しかしながら、原稿を水平搬送部分で読み取る原稿流し撮りタイプでは、搬送途中で発生する紙粉や粉塵などがコンタクトガラスの表面に付着し、読取り画像の全体に筋状のノイズが発生することが問題となっている。原稿流し撮りタイプではコンタクトガラス上で撮像部（通常はＣＣＤラインセンサが用いられている）の１ライン分の領域しか読取りに使用されないため、読取りライン上に１箇所でも汚れが生じると、画像全体に筋状のノイズが発生してしまうのである。ちなみに、コンタクトガラス上へのゴミ付着でも、固定原稿読取りタイプでは、読取り位置が移動していくため、ゴミは点状態で画像に現れることになり、画像品質への影響は小さい。
【０００５】
そこで、特許文献１では、コンタクトガラス上にゴミが付着した場合は光路を切り換え、ゴミが付着していない箇所で読取りを行う対策を提案している。しかしながら、この対策は、光路を切り換えるだけであり、依然として原稿を水平状態で読み取るので、切り換えた読取り箇所に新たにゴミが付着する可能性までも除去することはできない。また、ゴミを検出することにより、事前に光路を切り換えて対処することは可能であるが、原稿搬送途中で付着したゴミに対しては対応できないという問題点を有している。
【特許文献１】特開２００５−５７５２号公報
【発明の開示】
【発明が解決しようとする課題】
【０００６】
そこで、本発明の目的は、水平方向に配置したコンタクトガラスに付着したゴミなどによって読取り画像に筋状のノイズが発生することを防止できる画像読取り装置を提供することにある。
【０００７】
本発明の他の目的は、前記目的に加えて、原稿搬送途中であっても付着したゴミによるノイズの発生を除去できる画像読取り装置を提供することにある。
【課題を解決するための手段】
【０００８】
以上の目的を達成するため、第１の発明は、
原稿を水平面上で固定状態で支持する透過部材と、原稿を搬送する搬送手段と、該搬送手段にて搬送される原稿の画像を読み取る撮像部と、原稿を照射する光照射手段と、照射された原稿からの反射光を前記撮像部に導く反射手段と、を備えた画像読取り装置において、
前記搬送手段にて搬送される原稿の読取り位置での搬送方向が非水平状態に設定されており、
前記透過部材上に支持された原稿の画像を読み取るための第１の反射光路と、前記搬送手段にて搬送される原稿の画像を読み取るための第２の反射光路を切換え可能であること、
を特徴とする。
【０００９】
第１の発明に係る画像読取り装置によれば、原稿を非水平状態（例えば、垂直状態）で搬送されている部分にて読み取るため、読取り用の透過部材は非水平状態に設置されることになり、搬送原稿から生じる紙粉や粉塵は重力方向に落下するので、透過部材にはこのようなゴミが付着しにくく、読取り画像に筋状のノイズが発生することが未然に防止される。また、コンタクトガラスを設置しないことも可能であって、その場合はゴミ付着によるノイズ発生は皆無になる。
【００１０】
第１の発明に係る画像読取り装置において、透過部材上に支持された原稿の読取り位置から撮像部までの光路長と、搬送手段にて搬送される原稿の読取り位置から撮像部までの光路長とを等しく設定することが好ましい。即ち、搬送原稿読取り用の光路と固定原稿読取り用の光路の共役長を等しくすることにより、固定原稿又は搬送原稿の読取りごとにピント調整を行う必要がなく、構成、調整が容易になる。
【００１１】
また、第１及び第２の反射光路を切り換える手段は、第１及び第２の反射光路に進退可能な反射部材で構成してもよい。装置の構成を小型化、簡略化できる。
【００１２】
さらに、搬送手段は原稿を上部位置から略円弧状に垂直位置を介して下部位置に搬送し、搬送される原稿の読取り位置は垂直位置よりも搬送方向上流側に設定してもよい。このような構成にて、搬送原稿から生じる紙粉や粉塵が透過部材に付着する可能性がより低くなる。
【００１３】
あるいは、透過部材上に支持された原稿を照射する光照射手段と、搬送手段にて搬送される原稿を照射する光照射手段とを共通の光源にて構成してもよい。光源を共通にすることにより、固定原稿と搬送原稿の照射手段の分光分布差による読取り画像の色再現性能差を解消でき、固定原稿でも搬送原稿でも同様の色再現性を確保できる。
【００１４】
また、透過部材上に支持された原稿の画像を読み取る場合と、搬送手段にて搬送される原稿の画像を読み取る場合とで、共通の白色基準板を用いることが好ましい。共通の白色基準板を用いることにより、白色基準板の分光分布差による読取り画像の色再現性能差を解消できる。
【００１５】
第２の発明は、原稿を水平面上で固定状態で支持する透過部材と、原稿を搬送する搬送手段と、該搬送手段にて搬送される原稿の画像を読み取る撮像部と、原稿を照射する光照射手段と、照射された原稿からの反射光を前記撮像部に導く反射手段と、を備えた画像読取り装置において、
前記搬送手段にて搬送される原稿の読取り位置は、搬送方向が非水平状態に設定されている第１の読取り位置と該第１の読取り位置以外の第２の読取り位置が設定され、
第１及び第２の読取り位置からの反射光を前記撮像部に導く一つの反射部材は半透過部材を用い、該半透過部材から撮像部までは共通の光路を構成していること、
を特徴とする。
【００１６】
第２の発明に係る画像読取り装置によれば、２箇所で読み取った搬送原稿の画像データを利用できるため、一方の読取り位置にゴミが付着していても、他方の位置で読み取った画像データを出力データとして優先使用することにより、ノイズのない画像を得ることが可能になる。特に、画像を読み取った後で優先的に使用するデータを決定できるため、読取り途中でゴミが付着したとしてもその影響を排除できる。
【００１７】
第２の発明に係る画像読取り装置においては、第１及び第２の読取り位置で読み取られたそれぞれの画像データを比較し、一定値以上の差分が検出された場合は、第１の読取り位置で読み取られた画像データを出力データとすることができる。あるいは、第１及び第２の読取り位置で読み取られたそれぞれの画像データの平均値を出力データとしてもよい。この場合、第１の読取り位置で読み取られた画像データを記憶する記憶手段を備えていることが好ましい。
【００１８】
また、第２の読取り位置を固定原稿の読取り位置と同じ水平面上に設定した場合、半透過部材の第１の読取り位置からの反射光に対する透過率は５０％以下であることが好ましい。第２の読取り位置で読み取った画像データを優先しつつ、第２の読取り位置に付着したゴミの影響を第１の読取り位置で読み取った画像データを参照して排除できる。
【発明を実施するための最良の形態】
【００１９】
以下、本発明に係る画像読取り装置の実施例について、添付図面を参照して説明する。なお、以下に説明する各実施例において同じ部材、部分には共通の符号を付し、重複する説明は省略する。
【００２０】
（第１実施例、図１参照）
図１に、本発明の第１実施例である画像読取り装置１Ａを示す。この画像読取り装置１Ａは、固定原稿用のコンタクトガラス１０上に載置された原稿（図示せず）を読み取る固定原稿読取り機能と、搬送部２０を搬送される原稿Ｄを読み取る流し撮り機能とを兼ね備えている。
【００２１】
固定原稿の読取りは、例えば希ガス蛍光灯などの光源１１によりコンタクトガラス１０上に載置された原稿を照射し、原稿面からの反射光をミラー１２，１３，１４を介して結像レンズ１５に入射し、さらに撮像部１６に結像させて行う。以下に、固定原稿の読取り位置から撮像部１６までを第１の反射光路と称する。撮像部１６はＣＣＤラインセンサにて構成され、画像を主走査方向Ｙに１ラインずつ読み取る。光源１１とミラー１２は第１スライダ５に搭載され、ミラー１３，１４は第２スライダ６に搭載され、それぞれ副走査方向Ｘに移動可能である。即ち、固定原稿の読取り位置はコンタクトガラス１０の表面上である。また、コンタクトガラス１０の副走査方向Ｘの上流側には白色基準板７が設置されている。
【００２２】
具体的には、光源１１を点灯させた状態で、まず、光源１１を白色基準板７の直下に移動させて白色基準板７を読み取り、この読取りデータに基づいて色再現性のキャリブレーションや主走査方向Ｙの平滑化を実行する。次に、第１スライダ５を速度αで、第２スライダ６を２αの速度で副走査方向Ｘに移動させ、コンタクトガラス１０上に載置された原稿の画像を撮像部１６にて読み取り、画像データを生成する。
【００２３】
一方、原稿搬送部２０は複数の搬送ローラ対２１，２２，２３，２４と図示しない原稿ガイド部材とで構成されている。原稿Ｄはトレイ２５上から１枚ずつピックアップされ、上部位置からローラ対２１にて搬送部２０に導入され、ローラ対２２，２３にて円弧状に下部位置に向かって搬送され、ローラ対２４からトレイ２６上に排出される。搬送経路が円弧状をなすほぼ中間点である垂直部分に主走査方向Ｙに細長いコンタクトガラス２７が設置され、原稿はコンタクトガラス２７の裏側（図１中右側面）を通過するとき画像を読み取られる（読取り位置Ａ１）。また、コンタクトガラス２７に対向して設置された原稿押さえ板２８は白色基準板を兼用している。
【００２４】
搬送原稿Ｄの読取りは、例えば希ガス蛍光灯などの光源１７によりコンタクトガラス２７の裏側を搬送される原稿Ｄを照射し、原稿面からの反射光をミラー１８，１４を介して結像レンズ１５に入射し、さらに撮像部１６に結像させて行う。以下に、搬送原稿の読取り位置Ａ１から撮像部１６までを第２の反射光路と称する。画像はＣＣＤラインセンサにて主走査方向Ｙに１ラインずつ読み取られ、画像データとして生成される。このとき、第１及び第２スライダ５，６は図１に示す位置に維持される。また、原稿Ｄの読取りの直前に原稿押さえ板２８の白色基準板部分を読み取り、色再現性のキャリブレーションなどを実行する点は前記固定原稿の読取り時と同様である。
【００２５】
以上の固定原稿の読取りと搬送原稿の読取りは、ミラー１３の位置を変更することにより切り換えられる。即ち、ミラー１３は第１及び第２の反射光路に進退可能であり、４５°の位置にセットされているときに第２の反射光路を閉鎖するとともに第１の反射光路の反射部材として機能し、９０°の位置に退避することにより第２の反射光路を開放し、ミラー１８からの反射光をミラー１４に到達させる。
【００２６】
なお、搬送原稿の読取り前に原稿押さえ板２８の白色基準部分を読み取った際、この読み取りデータを前記白色基準板７の読み取りデータと比較し、キャリブレーションの補正を行うことにより、固定原稿と搬送原稿の色再現性を同等にすることができる。また、白色基準部分は原稿押さえ板２８に必ずしも設ける必要はなく、コンタクトガラス２７に貼り付けてもよい。この場合は、白色基準部分をコンタクトガラス２７に読取り位置Ａ１とは離れて貼り付け、白色基準部分を読み取る際には白色基準部分が読取り位置Ａ１に来るようにコンタクトガラス２７を移動させればよい。
【００２７】
本第１実施例によれば、搬送原稿Ｄが垂直状態で搬送されている部分（読取り位置Ａ１）にて読み取るため、読取り用のコンタクトガラス２７は垂直状態に設置され、搬送原稿Ｄから生じる紙粉や粉塵は重力方向に落下するので、コンタクトガラス２７にはこのようなゴミが付着しにくい。従って、読取り画像に筋状のノイズが発生することが未然に防止される。
【００２８】
なお、原稿Ｄを読取り位置Ａ１にて安定して搬送可能であれば、コンタクトガラス２７を設置しないことも可能である。コンタクトガラス２７を設けなければゴミの付着によるノイズ発生は皆無になる。
【００２９】
また、本第１実施例では、固定原稿読取り用のコンタクトガラス１０上に支持された原稿の読取り位置から撮像部１６までの光路長と、搬送原稿Ｄの読取り位置Ａ１から撮像部１６までの光路長とを等しく設定しているため、即ち、第１及び第２の反射光路の共役長を等しくすることにより、固定原稿及び搬送原稿の読取りごとにピント調整を行う必要がなく、構成、調整が容易になる。具体的には、ミラー１３から撮像部１６までは共用化されているため、コンタクトガラス１０の表面からミラー１３までの光路長とコンタクトガラス２７の裏面からミラー１３までの光路長を等しく設計すればよい。
【００３０】
また、第１及び第２の反射光路をミラー１３の移動によって切り換えるようにしたため、画像読取り装置１Ａ自体の構成を小型化、簡略化できる。
【００３１】
（第２実施例、図２参照）
図２に、本発明の第２実施例である画像読取り装置１Ｂを示す。この画像読取り装置１Ｂは、基本的には前記第１実施例と同様の構成を備え、異なるのは、原稿Ｄを上部位置から略円弧状に垂直位置を介して下部位置に搬送する際、原稿Ｄの読取り位置Ａ１を垂直位置よりも搬送方向上流側に設定した点にある。
【００３２】
本第２実施例では、原稿面で反射した反射光はミラー１８にほぼ３０°の角度で下方から入射し、コンタクトガラス２７は比較的上方に位置することになる。搬送原稿Ｄから生じる紙粉や粉塵は通紙範囲β内で重力により下方に落下するが、コンタクトガラス２７を比較的上方に配置することで、コンタクトガラス２７に紙粉や粉塵が付着する可能性がより低くなる。なお、第１実施例で説明したように、コンタクトガラス２７を省略することも可能である。
【００３３】
（第３実施例、図３参照）
図３に、本発明の第３実施例である画像読取り装置１Ｃを示す。この画像読取り装置１Ｃは、基本的には前記第１実施例と同様の構成を備え、異なるのは、光源１１を固定原稿の読取りと搬送原稿の読取りとで共通化した点にある。
【００３４】
即ち、光源１１を搬送原稿の読取り位置Ａ１に近づけるとともに、光源１１からの光を読取り位置Ａ１に導くためのミラー１９を追加した。光源１１は図示しないモータやソレノイドを駆動源として照射方向を読取り位置Ａ１に向ける角度と固定原稿照射方向に向ける角度とに回転可能とされている。
【００３５】
本第３実施例では、固定原稿を照射する光照射手段と、搬送原稿を照射する光照射手段とを共通の光源１１にて構成したため、固定原稿と搬送原稿の照射手段の分光分布差による読取り画像の色再現性能差を解消でき、固定原稿でも搬送原稿でも同様の色再現性を確保できる。
【００３６】
なお、本第３実施例では、光源１１から読取り位置Ａ１までの距離が長くなり、読取り位置Ａ１での照度が低下するのを補償するため、搬送原稿を読み取る際には光源１１の光量を増大する制御を行うことが好ましい。これにて、搬送原稿も固定原稿と同等の画質を得ることができる。
【００３７】
（第４実施例、図４参照）
図４に、本発明の第４実施例である画像読取り装置１Ｄを示す。この画像読取り装置１Ｄは、基本的には前記第１実施例と同様の構成を備え、異なるのは、白色基準板７を固定原稿の読取りと搬送原稿の読取りとで共通化した点にある。
【００３８】
即ち、白色基準板７を支軸８を支点として回転自在に設けたブラケット９に貼り付け、固定原稿読取り時に読み取られる位置と搬送原稿読取り時に読み取られる位置とに９０°の角度で切換え可能とした。ブラケット９の駆動源としては図示しないモータやソレノイドが用いられ、その駆動メカニズムは任意である。
【００３９】
本第４実施例では、固定原稿の読取り時と搬送原稿の読取り時とで共通の白色基準板７を用いるようにしたため、別の白色基準板を用いることによる分光分布差による読取り画像の色再現性能差を解消できる。
【００４０】
（第５実施例、図５参照）
図５に、本発明の第５実施例である原稿読取り装置１Ｅを示す。この原稿読取り装置１Ｅは、基本的には前記第１実施例と同様の構成を備え、異なるのは、搬送原稿Ｄを前記読取り位置Ａ１（以下、第１の読取り位置と記す）のみならず、固定原稿の読取り位置と同じ水平面上の第２の読取り位置Ａ２にても同時に読み取るようにした点にある。
【００４１】
搬送原稿Ｄを第１及び第２の読取り位置Ａ１，Ａ２にて同時に読み取るために、ミラー１３にはハーフミラーなどの半透過部材を用いている。第１の読取り位置Ａ１を搬送される原稿Ｄでの反射光（光源１７からの光）はハーフミラー１３を透過してミラー１４、結像レンズ１５を介して撮像部１６に入射する。また、第２の読取り位置Ａ２を搬送される原稿Ｄでの反射光（光源１１からの光）はミラー１２及びハーフミラー１３で反射されてミラー１４、結像レンズ１５を介して撮像部１６に入射する。なお、第２の読取り位置Ａ２の構成は従来のこの種の原稿流し撮りタイプの画像読取り装置と同様である。
【００４２】
本第５実施例においては、搬送原稿Ｄの画像をまず第１の読取り位置Ａ１にて読み取り、続いて第２読取り位置Ａ２にて読み取る。キャリブレーションは、原稿搬送前に、それぞれの読取り位置Ａ１，Ａ２で白色基準板７及び原稿押さえ板２８の白色基準部分を読み取ることにより行う。
【００４３】
第２の読取り位置Ａ２で読み取った画像データはコンタクトガラス１０上へのゴミ付着による筋状のノイズが発生するおそれがある。しかし、第２の読取り位置Ａ２では固定原稿の読取りと光源１１及び白色基準板７を共用するため、固定原稿の読取りと色再現性に差が出にくい利点を有している。それゆえ、本第５実施例では、第２の読取り位置Ａ２で読み取った画像データを優先的に用い、コンタクトガラス１０へのゴミ付着の影響が出た場合には、第１の読取り位置Ａ１で読み取った画像データを出力データとして使用するようにした。
【００４４】
即ち、通常は画質が固定原稿と同等の第２の読取り位置Ａ２で読み取った画像データが得られ、ゴミ付着などの不具合発生時のみ、その影響のない第１の読取り位置Ａ１で読み取ったノイズのない画像データが得られる。この場合、ハーフミラー１３としては第１の読取り位置Ａ１からの反射光に対する透過率が５０％以下のものを用いることが好ましい。例えば、透過率が１０％のハーフミラー１３を用いた場合、第１及び第２の読取り位置Ａ１，Ａ２での光量が等しければ、第２の読取り位置Ａ２からの反射光は第１の読取り位置Ａ１からの反射光の９倍の光量となり、第２の読取り位置Ａ２で得られた画像データの品質を保障できる。
【００４５】
具体的には、第１の読取り位置Ａ１で読み取った画像データを制御部３０のメモリ３１に記憶し、記憶した画像データと第２の読取り位置Ａ２で読み取った画像データとをＣＰＵ３２にて比較する。常時は第２の読取り位置Ａ２で読み取った画像データを優先的に出力データとするが、比較の結果、一定値以上の差分が検出された場合は、ゴミなどの影響が出たと判断し、第１の読取り位置Ａ１で読み取った画像データを出力データとする。
【００４６】
あるいは、第１及び第２の読取り位置Ａ１，Ａ２で読み取ったそれぞれの画像データの平均値をＣＰＵ３２で生成し、これを出力データとしてもよい。
【００４７】
以上の制御によって、第２の読取り位置Ａ２で読み取った画像データを優先しつつ、第２の読取り位置Ａ２に付着したゴミの影響を第１の読取り位置Ａ１で読み取った画像データを参照して排除できる。特に、画像データを読み取った後で出力する前に使用する画像データを決定できるため、読取り途中でゴミが付着したとしてもその影響を排除できる。
【００４８】
なお、第１及び第２の読取り位置Ａ１，Ａ２で読み取った画像データを比較する場合、同じ主走査方向のラインどうしを比較する必要がある。そのために、それぞれの読取り位置Ａ１，Ａ２にセンサを設けて搬送原稿Ｄの先端を検出しておくなどの方策が必要になる。
【００４９】
（制御手順、図６参照）
ここで、第５実施例における制御手順の一例を図６を参照して説明する。
【００５０】
まず、第１の読取り位置Ａ１での画像データを取得し（ステップＳ１）、メモリ３１に格納する（ステップＳ２）。この場合、メモリ３１は第１の読取り位置Ａ１から第２の読取り位置Ａ２までの距離分の画像データを保持すればよい。次に、第２の読取り位置Ａ２での画像データを取得し（ステップＳ３）、前記第１の読取り位置Ａ１での画像データと第２の読取り位置Ａ２での画像データの差分を計算する（ステップＳ４）。
【００５１】
差分とは階調差分であり、計算の結果、所定のＸ階調以上の差分であれば（ステップＳ５でＹＥＳ）、コンタクトガラス１０上に付着ゴミありと判断し（ステップＳ６）、第１の読取り位置Ａ１での画像データを採用して出力する（ステップＳ７）。
【００５２】
一方、所定のＸ階調未満の差分であれば（ステップＳ５でＮＯ）、コンタクトガラス１０上に付着ゴミなしと判断し（ステップＳ８）、第２の読取り位置Ａ２での画像データを採用して出力する（ステップＳ９）。
【００５３】
（他の実施例）
なお、本発明に係る画像読取り装置は前記実施例に限定するものではなく、その要旨の範囲内で種々に変更できる。特に、原稿を搬送するための構成や撮像光学系の構成は任意である。
【図面の簡単な説明】
【００５４】
【図１】本発明に係る画像読取り装置の第１実施例を示す概略構成図である。
【図２】本発明に係る画像読取り装置の第２実施例を示す概略構成図である。
【図３】本発明に係る画像読取り装置の第３実施例を示す概略構成図である。
【図４】本発明に係る画像読取り装置の第４実施例を示す概略構成図である。
【図５】本発明に係る画像読取り装置の第５実施例を示す概略構成図である。
【図６】前記第５実施例での制御手順の一例を示すフローチャート図である。
【符号の説明】
【００５５】
１Ａ〜１Ｅ…画像読取り装置
７…白色基準板
１０…固定原稿用コンタクトガラス
１１，１７…光源
１３…ミラー
１６…撮像部
２０…原稿搬送部
２７…搬送原稿コンタクトガラス
３１…メモリ
３２…ＣＰＵ
Ａ１，Ａ２…読取り位置
Ｄ…原稿
【図１】
2007158448.tif 000003
【図２】
2007158448.tif 000004
【図３】
2007158448.tif 000005
【図４】
2007158448.tif 000006
【図５】
2007158448.tif 000007
【図６】
2007158448.tif 000008